(57)【特許請求の範囲】
【請求項１】
戸枠に戸体の吊元側をピボットヒンジで、閉じ位置と開き位置とに亘って面外方向に回動自在に取り付け、前記戸体の吊元側端面からピボットヒンジを操作して戸体を取り付け、取り外し、建付け調整できるようにした開き戸であって、
前記戸枠の吊元縦枠は、枠本体と、この枠本体に着脱自在に取り付けたアタッチメントを有し、そのアタッチメントは前記戸体よりも面外方向一側寄りで、前記戸体の面外方向回動中心よりも面内方向内側寄りまで突出し、
前記アタッチメントの突出端寄りに吊元側気密材を、前記戸体の面外方向一側面に向かうと共に、前記戸体の閉じ位置および閉じ位置近傍において前記戸体が接触し、前記戸体が面外方向に回動するときに戸体が接触しないように装着したことを特徴とする開き戸。
【請求項２】
前記戸体がピボットヒンジを中心として面外方向に回動するときに、その戸体の面外方向一側面と吊元側端面のコーナー部が軌跡に沿って移動し、
前記吊元側気密材は、前記軌跡よりも戸体の面外方向の回動中心と反対側に位置し、かつ戸体が閉じ位置のときに戸体の面外方向一側面が接するようにした請求項１記載の開き戸。
【請求項３】
前記アタッチメントは、取付部と、この取付部から面内方向内側に向かう内向部と、この内向部の面内方向内側端部に設けた気密材装着用の凹部を有し、
前記取付部を、枠本体の面内方向内側面に固着手段で着脱自在に取り付けることで、前記凹部が戸体の面外方向の回動中心よりも面内方向内側に位置するようにし、
前記凹部に吊元側気密材を装着するようにした請求項１又は２記載の開き戸。
【請求項４】
前記吊元縦枠の枠本体は、その面内方向内側面よりも面内方向側に、面外方向他側に開口した気密材装着用の凹部を有し、
前記アタッチメントは、取付部と、この取付部から面内方向内側に向かう内向部と、この内向部の面内方向内側端部に設けた気密材装着用の凹部と、前記内向部の面内方向中間部に設けた引掛け部を有し、
前記引掛け部を枠本体の凹部に引掛けると共に、前記取付部を枠本体の面内方向内側面に固着手段で着脱自在に取り付け、前記アタッチメントの凹部が枠本体の凹部よりも面内方向内側に位置するようにし、
前記アタッチメントの凹部に吊元側気密材を装着し、
前記戸枠の戸先縦枠を、前記吊元縦枠の枠本体と同一形状とした請求項１又は２記載の開き戸。
【請求項５】
前記アタッチメントの引掛け部は、枠本体の凹部を形成する面内方向内側部分に接する当接片と、この当接片に面内方向外側に向けて設けられ前記枠本体の凹部の開口縁部分に引掛かる引掛け片を有する請求項４記載の開き戸。
【請求項６】
前記枠本体の凹部を、その面内方向内側面に設けた内向片と、この内向片の面内方向内側端部に設けた端部鉤片と、前記内向片の面内方向中間部に設けた中間鉤片であり溝形状とし、
前記引掛け部の当接片が前記端部鉤片に接すると共に、前記引掛け片が前記中間鉤片に引掛かるようにした請求項５記載の開き戸。
【発明の詳細な説明】
【技術分野】
【０００１】
本発明は、建物の開口部に設けられる開き戸に関する。
【背景技術】
【０００２】
従来、開き戸としては、戸枠に戸体（扉）をヒンジで開閉自在に取り付けたものが一般的である。
例えば、特許文献１に開示したように、上横枠と下横枠と吊元縦枠と戸先縦枠を方形状に連結した戸枠（ドア枠）に、戸体（ドア本体）の吊元側をピボットヒンジで、開き位置と閉じ位置に亘って面外方向に回動自在に取り付け、その戸枠の各枠に気密材を装着し、前記戸体が閉じ位置のときに、その戸体の室内側面が前記各気密材に接して、戸枠と戸体の間を気密するようにした開き戸（ドア）が提案されている。
【先行技術文献】
【特許文献】
【０００３】
【特許文献１】特開２００８−１７９９４５号公報
【発明の概要】
【発明が解決しようとする課題】
【０００４】
前述した従来の開き戸は、ピボットヒンジが戸体の面外方向（厚さ方向）の中間に設けてあるので、戸体が面外方向に回動するときに、その戸体が吊元縦枠に装着した気密材に強く接触し、その気密材が早期に摩耗してしまう。
そこで、本出願人は、吊元縦枠に装着した気密材を、戸体の面外方向の回動中心（ピボットヒンジの軸心）よりも面内方向内側寄りとし、戸体が面外方向に回動するときに、その戸体が吊元縦枠に装着した気密材に強く接触することがなく、戸体が閉じ位置のときに、その戸体の面外方向一側面が気密材に接することで、その気密材が早期に摩耗しないようにすることを提案した。
【０００５】
前述のようにすることで、吊元縦枠に装着した気密材の早期の摩耗を防止することができるが、気密材の位置を前述のように面内方向内側にずらしたことによって、戸体を開き位置としたときに、戸体の吊元側端面が気密材、吊元縦枠の気密材装着部分によって隠蔽されてしまうので、後述するピボットヒンジの操作時に気密材、吊元縦材の気密材装着部分が邪魔になり、ピボットヒンジの操作が大変やりづらくなってしまう。
【０００６】
すなわち、ピボットヒンジは、戸体の取り付け、取り外し、戸体の建付け調整等のために、その軸を上下方向、面外方向に移動可能で、戸体にピボットヒンジを取り付けた状態では、その戸体の吊元側端面から工具によりねじ等を回転操作することによって軸を上下方向、面外方向に移動できるようにしてある。
このようであるから、戸体を開き位置として前述のねじを回転操作して戸体の取り付け、取り外し、建付け調整するときに、前述のように気密材、吊元縦枠の気密材装着部分が邪魔になり、ピボットヒンジの操作が大変やりづらい。
【０００７】
本発明の目的は、戸体を面外方向に回動するときに、吊元縦枠に装着した吊元側気密材が戸体によって早期に摩耗することがないと共に、戸体を取り付け、取外しするときや戸体を建付け調整等するときに、ピボットヒンジを容易に操作できるようにした開き戸とすることである。
【課題を解決するための手段】
【０００８】
本発明は、戸枠に戸体の吊元側をピボットヒンジで、閉じ位置と開き位置とに亘って面外方向に回動自在に取り付け、前記戸体の吊元側端面からピボットヒンジを操作して戸体を取り付け、取り外し、建付け調整できるようにした開き戸であって、
前記戸枠の吊元縦枠は、枠本体と、この枠本体に着脱自在に取り付けたアタッチメントを有し、そのアタッチメントは前記戸体よりも面外方向一側寄りで、前記戸体の面外方向回動中心よりも面内方向内側寄りまで突出し、
前記アタッチメントの突出端寄りに吊元側気密材を、前記戸体の面外方向一側面に向かうと共に、前記戸体の閉じ位置および閉じ位置近傍において前記戸体が接触し、前記戸体が面外方向に回動するときに戸体が接触しないように装着したことを特徴とする開き戸である。
【０００９】
本発明においては、前記戸体がピボットヒンジを中心として面外方向に回動するときに、その戸体の面外方向一側面と吊元側端面のコーナー部が軌跡に沿って移動し、
前記吊元側気密材は、前記軌跡よりも戸体の面外方向の回動中心と反対側に位置し、かつ戸体が閉じ位置のときに戸体の面外方向一側面が接するようできる。
このようにすれば、戸体が閉じ位置近くの閉じ位置寄り位置と開き位置とに亘って回動するときに、戸体のコーナー部が吊元側気密材に触れないので、その吊元側気密材の戸体による早期の摩耗を防止できる。
【００１０】
本発明においては、前記アタッチメントは、取付部と、この取付部から面内方向内側に向かう内向部と、この内向部の面内方向内側端部に設けた気密材装着用の凹部を有し、
前記取付部を、枠本体の面内方向内側面に固着手段で着脱自在に取り付けることで、前記凹部が戸体の面外方向の回動中心よりも面内方向内側に位置するようにし、
前記凹部に吊元側気密材を装着するようにできる。
このようにすれば、取付部を枠本体の面内方向内側面に固着手段で固着して取り付けることで、アタッチメントを取り付けでき、そのアタッチメントの取り付けが容易である。
【００１１】
本発明においては、前記吊元縦枠の枠本体は、その面内方向内側面よりも面内方向側に、面外方向他側に開口した気密材装着用の凹部を有し、
前記アタッチメントは、取付部と、この取付部から面内方向内側に向かう内向部と、この内向部の面内方向内側端部に設けた気密材装着用の凹部と、前記内向部の面内方向中間部に設けた引掛け部を有し、
前記引掛け部を枠本体の凹部に引掛けると共に、前記取付部を枠本体の面内方向内側面に固着手段で着脱自在に取り付け、前記アタッチメントの凹部が枠本体の凹部よりも面内方向内側に位置するようにし、
前記アタッチメントの凹部に吊元側気密材を装着し、
前記戸枠の戸先縦枠を、前記吊元縦枠の枠本体と同一形状とすることができる。
このようにすれば、枠本体と戸先縦枠を同一形材を用いて製作でき、形材の種類を少なくしてコスト安とすることができる。
しかも、戸先縦枠の気密材装着用の凹部は、アタッチメントの気密材装着用の凹部よりも面内方向外側寄りであるから、戸枠の面内方向開口寸法を大きくできる。
さらに、引掛け部と凹部の引掛け部分でアタッチメントに作用する面外方向一側に向かう外力を支持するので、アタッチメントを枠本体にしっかりと取り付けできる。
【００１２】
本発明においては、前記アタッチメントの引掛け部は、枠本体の凹部を形成する面内方向内側部分に接する当接片と、この当接片に面内方向外側に向けて設けられ前記枠本体の凹部の開口縁部分に引掛かる引掛け片を有するものにできる。
このようにすれば、引掛け部の当接片が枠本体の凹部を形成する面内方向内側部分に接することで、アタッチメントを枠本体の凹部を基準として取り付けできるから、そのアタッチメントの凹部と戸先縦枠の凹部を面外方向に同一位置として、各凹部に装着した気密材を戸体の面外方向一側面に均一に接することができる。
【００１３】
本発明においては、前記枠本体の凹部を、その面内方向内側面に設けた内向片と、この内向片の面内方向内側端部に設けた端部鉤片と、前記内向片の面内方向中間部に設けた中間鉤片であり溝形状とし、
前記引掛け部の当接片が前記端部鉤片に接すると共に、前記引掛け片が前記中間鉤片に引掛かるようにできる。
このようにすれば、端部鉤片に当接片が接して面外方向、面内方向に動かないように位置決めして支持できると共に、引掛け片が中間鉤片に引掛かるので、アタッチメントを枠本体に面外方向、面内方向に位置決めして取り付けできる。
【発明の効果】
【００１４】
本発明によれば、アタッチメントに装着した吊元側気密材は戸体の面外方向回動中心よりも面内方向内側寄りに位置するので、戸体を面外方向に回動するときに吊元側気密材が戸体によって早期に摩耗することがない。
しかも、枠本体からアタッチメントを取り外しすることで、開き位置とした戸体の吊元側端面からピボットヒンジを容易に操作することができるから、戸体を取り付け、取外しするときや戸体を建付け調整するときにピボットヒンジを容易に操作できる。
【図面の簡単な説明】
【００１５】
【図１】本発明の実施の形態を示す開き戸の概略内観図である。
【図２】図１のＡ−Ａ拡大断面図である。
【図３】戸体のピボットヒンジ取付部の斜視図である。
【図４】戸体が開き位置の状態の吊元部分の横断面図である。
【図５】アタッチメント取付部分の拡大横断面図である。
【発明を実施するための形態】
【００１６】
図１に示すように、戸枠１に戸体２の吊元側をピボットヒンジ３で、閉じ位置と開き位置とに亘って面外方向に回動自在に取り付けて開き戸としてある。
前記戸枠１は、吊元縦枠１ａと戸先縦枠１ｂと上横枠１ｃと下横枠１ｄを方形状に連結してある。
前記戸体２の吊元寄り部分２ａの面外方向（厚さ方向）中間における上下にピボットヒンジ３をそれぞれ取り付け、その各ピボットヒンジ３の軸を上横枠１ｃ、下横枠１ｄに回転自在に支承してある。
前記戸体２の戸先寄り部分２ｂに把手４が取り付けてある。
【００１７】
前記吊元縦枠１ａは、図２に示すように、枠本体１０と、この枠本体１０の面内方向内側面１０ａに着脱自在に取り付けた気密材装着用のアタッチメント２０を備えている。
このアタッチメント２０は、前記戸体２よりも面外方向一側寄り（室内側寄り）で、前記戸体１の面外方向の回動中心（ピボットヒンジの軸心）よりも面内方向内側寄りまで突出している。
そして、前記アタッチメント２０の突出端寄りに吊元側気密材５が戸体２の面外方向一側面（室内側面）２ｃに向けて装着してある。
前述の説明で、枠本体１０の面内方向内側面１０ａとは、戸先縦枠１ｂに向かう面である。
また、面内方向内側に突出しているとは、戸先縦枠１ｂに向けて突出していることである。
前記アタッチメント２０は枠本体１０の面内方向内側面１０ａに着脱自在に取り付けてあるが、そのアタッチメント２０の取り付け位置は前述に限ることはなく、枠本体１０の任意の位置に取り付けできる。
【００１８】
前述のようであるから、アタッチメント２０に装着した前記吊元側気密材５は、戸体２の面外方向の回動中心（ピボットヒンジ３の軸心）よりも面内方向内側寄りに位置し、戸体２が、閉じ位置の近くの閉じ位置近傍と開き位置との間を面外方向に回動するときには戸体２が吊元側気密材５に触れないようにしてあると共に、戸体２が図２に示す閉じ位置および閉じ位置近傍のときに、その戸体２の面外方向一側面２ｃが吊元側気密材５に接するようにしてある。
【００１９】
例えば、戸体２の面外方向一側面２ｃと、この戸体２の吊元側端面２ｄとのコーナー部２ｅは、戸体２が面外方向に回動するときに図２に１点鎖線で示す軌跡ａに沿って移動する。
そして、前記吊元側気密材５は、前記軌跡ａよりも戸体２の面外方向の回動中心と反対側に位置している。
前記吊元側気密材５は自由状態（外力が作用しやすい状態）では、図２に２点鎖線で示す姿勢で、戸体２の面外方向一側面２ｃに接した状態では図２に実線２で示す姿勢となる。
【００２０】
このようであるから、戸体２がピボットヒンジ３を中心として閉じ位置近傍と開き位置との間を面外方向に回動するときには、戸体２（コーナー部２ｅ）が吊元側気密材５に触れることがなく、戸体２が閉じ位置および閉じ位置近傍のときに戸体２の面外方向一側面２ｃが吊元側気密材５に接して戸体２と吊元縦枠１０との間を気密する。
したがって、戸体２を面外方向に回動して開き位置と閉じ位置に移動するときに、吊元縦枠１０に装着した吊元側気密材５が、戸体２によって早期に摩耗することがない。
【００２１】
前述した閉じ位置近傍とは具体的に、戸体２の開き角度が２０°以下、好ましくは１５°以下の範囲をいう。そして、閉じ位置近傍が開き角度２０°を越えた場合、つまり戸体２が２０°以上開いた状態で戸体２が吊元側気密材５に接触している場合には、戸体２が吊元側気密材５からの反発力で戸体２を閉じ位置に回動操作する際に大きな負荷がかかると共に、吊元側気密材５が戸体２と接触する範囲が大きくなるため、早期に摩耗してしまう虞がある。
【００２２】
前記ピボットヒンジ３は図３に示すように、本体３０と軸３１を備え、本体３０の工具差込口３２に工具、例えばドライバーを差し込み、上下に動かすことで本体３０に対して軸３１が上下に移動する。
前記本体３０に螺合した複数のボルト３３を弛めることで、本体３０に対して軸３１が面外方向に移動する。
そして、本体３０を戸体２の吊元寄り部分２ａに取り付けることで、ピボットヒンジ３を戸体２に取り付け、工具差込口３２、ボルト３３が戸体２の吊元側端面２ｄに露出するようにしてある。
このようであるから、戸体２の取り付け、取り外し時、戸体１の建付け調整時には、戸体２の吊元側端面２ｄからピボットヒンジ３を操作して軸３１を上下に移動したり、面外方向に移動できる。
【００２３】
図３において、戸体２の吊元側端面２ｄにはエッジカバー３４が取り付けてあり、そのエッジカバー３４のピボットヒンジ３を覆う端部エッジカバー３４ａはねじ３５で戸体２に着脱自在に取り付けてある。
そして、通常時には端部エッジカバー３４ａでピボットヒンジ３の本体３０を覆い、工具差込口３２、ボルト３３が見えないようにして戸体２の吊元側端部の見栄えを良くしている。
なお、図２においてはエッジカバー３４の端部をコーナー部２ｅとしてある。
【００２４】
このようであるので、戸体２を戸枠１に取り付け、取り外しするときや、戸体２を建付け調整するときには、戸体２を開き位置として、その戸体２の吊元側端面２ｄから工具を用いてピボットヒンジ３を操作して軸３１を上下に移動したり、面外方向に移動するが、図４（ａ）に示すように戸体２を開き位置としたときに、吊元側気密材５、吊元縦枠１ａのアタッチメント２０（つまり、気密材装着部分）が戸体２の吊元側端面２ｄを隠蔽し、前述のように工具によってピボットヒンジ３を操作する際に、吊元側気密材５、アタッチメント２０が邪魔になり、ピボットヒンジ３の操作が大変やりづらい。
【００２５】
本発明においては、アタッチメント２０を枠本体１０から取り外しすることで図４（ｂ）に示すように、戸体２の吊元側端面２ｄが露出し、工具によってピボットヒンジ３を容易に操作できる。
【００２６】
前記アタッチメント２０の取り付けを説明する。
図２に示すように、枠本体１０の面内方向内側面１０ａにおける面外方向一側寄りに気密材装着用の凹部１１を有する。
この凹部１１は面外方向他側に向けて開口していると共に、枠本体１０の面内方向内側面１０ａよりも面内方向内側に位置している。
前記アタッチメント２０は取付部２１と、この取付部２１と連続した面内方向に向かう内向部２２と、この内向部２２における面内方向内側端部に設けた気密材装着用の凹部２３と、前記内向部２２における面内方向中間部に設けた引掛け部２４を有する。
前記アタッチメント２０の凹部２３に吊元側気密材５が面外方向他側に向けて装着してある。
【００２７】
前記引掛け部２４を枠本体１０の凹部１１に引掛けると共に、取付部２１を枠本体１０の面内方向内側面１０ａに接し、固着手段、例えばねじ２５で固着してアタッチメント２０を枠本体１０に取り付ける。
これにより、アタッチメント２０の凹部２３が枠本体１０の凹部１１よりも面内方向内側寄りに位置し、吊元側気密材５を枠本体１０の凹部１１に装着した場合よりもアタッチメント２０の凹部２３に装着した場合の方が面内方向内側寄りに位置するようにしてある。
【００２８】
前記戸先縦枠１ｂは、面内方向内側面４０における面外方向一側寄りに気密材装着用の凹部４１を有し、その凹部４１に戸先側気密材６が面外方向他側に向けて装着してある。
つまり、前記戸先縦枠１ｂは吊元縦枠１ａの枠本体１０と同一形状である。
したがって、吊元縦枠１ａの枠本体１０と戸先縦枠１ｂを同一形材を用いて製作でき、形材の種類を少なくしてコスト安とすることができる。
例えば、各枠をアルミ押出成形した形材から製作する場合には、押出用金型の種類を少なくすることができる。
【００２９】
しかも、戸先縦枠１ｂ（吊元縦枠１ａの枠本体１０）の気密材装着用の凹部４１は、アタッチメント２０の気密材装着用の凹部２３よりも面内方向外側寄り、つまり面内方向内側面４０に近い位置であるから、戸枠１の面内方向開口寸法（アタッチメント２０の凹部２３を形成する部分と戸先縦枠１ｂの凹部４１を形成する部分との間の寸法）を大きくできる。
【００３０】
さらに、引掛け部２４と凹部１１の引掛け部分においてアタッチメント２０に作用する面外方向一側に向かう外力を支持するので、そのアタッチメント２０の内向片２２が面外方向一側に向かう外力で湾曲変形するのを防止でき、アタッチメント２０を枠本体１０にしっかりと取り付けできる。
【００３１】
次に、アタッチメント２０の取付部の構成を詳細に説明する。
図５に示すように、前記枠本体１０の面内方向内側面１０ａに面内方向内側に向かう内向片１２を設け、この内向片１２の面内方向内側端部に端部鉤片１３を設けると共に、面内方向中間部に中間鉤片１４を設け、この端部鉤片１３と中間鉤片１４と内向片１２であり溝形状の気密材装着用の凹部１１を形成する。
前記アタッチメント２０の取付部２１は、面外方向に向かう取付片２１ａと、この取付片２１ａの面外方向両端部に設けた一対の外向片２１ｂを有し、取付片２１ａからビス２５を挿入して枠本体１０に螺合する。
前記内向部２２は、前記取付片２１ａと連続した面内方向内側に向かう内向片２２ａを有し、その内向片２２ａの面内方向内側端部にあり溝形状の気密材装着用の凹部２３を有する。
前記引掛け部２４は、前記内向片２２ａの面内方向中間部に面内方向外側に向けて設けた鉤形状の当接片２４ａと、この当接片２４ａに面内方向外側に向けて設けた引掛け片２４ｂを有している。
そして、当接片２４ａが端部鉤片１３（つまり、凹部１１を形成する面内方向内側部分）に接して面内方向及び面外方向に動かないように位置決めして支持し、引掛け片２４ｂが中間鉤片１４（つまり凹部１１の開口縁部分）に引掛かる。
【００３２】
このようであるから、アタッチメント２０は次のように取り付ける。
前記アタッチメント２０を面外方向に斜めの姿勢とし、その引掛け片２４ｂを凹部１１内に入れると共に、凹部１１の開口縁部分（中間鉤片１４）に引掛け、その引掛けた部分を支点としてアタッチメント２０を面外方向に回動して当接片２４ａを凹部１１を形成する面内方向内側部分（端部鉤片１３）に当接して面外方向、面内方向に位置決めして支持すると共に、取付部２１の外向片２１ｂを枠本体１０の面内方向内側面１０ａに接し、ビス２５で固着して取り付ける。
【００３３】
前述のようにアタッチメント２０を、枠本体１０の凹部１１を基準として取り付けたので、そのアタッチメント２０の凹部２３を枠本体１０の凹部１１と面外方向に同一位置とすることが可能である。
したがって、他方の縦枠１ｂを枠本体１０と同一形状とした場合に、アタッチメント２０の凹部２３と他方の縦枠１ｂの凹部４１を面外方向に同一位置とし、各凹部２３，４１に装着した気密材を面外方向に同一位置として戸体２の面外方向一側面２ｃにおける吊元側、戸先側を均一に気密材に接することができる。
【００３４】
前記説明では、アタッチメント２０を枠本体１０の気密材装着用の凹部１１に引掛けて取り付けるようにしたが、その凹部１１に引掛けることなしにアタッチメント２０を枠本体１０に固着して取り付けるようにしても良い。
この場合にはアタッチメント２０を、取付部２１と内向部２２と凹部２３を有し、引掛け部２４を有しない形状とする。
なお、前述の実施の形態では縦枠１ａ，１ｂを断熱形材としてあるが、これに限ることはなくアルミなどの金属形材としたり、樹脂形材としても良い。
【符号の説明】
【００３５】
１…戸枠、１ａ…吊元縦枠、１ｂ…戸先縦枠、２…戸体、２ａ…吊元寄り部分、２ｂ…戸先寄り部分、２ｃ…面外方向一側面、３…ピボットヒンジ、５…吊元側気密材、６…戸先側気密材、１０…枠本体、１０ａ…面内方向内側面、１１…凹部、２０…アタッチメント、２１…取付部、２２…内向部、２３…凹部、２４…引掛け部、２５…ビス（固着手段）、３０…本体、３１…軸、３２…工具差込口、３３…ボルト、４０…面内方向内側面、４１…凹部。
【図１】
0005483315.tif 000002
【図２】
0005483315.tif 000003
【図３】
0005483315.tif 000004
【図４】
0005483315.tif 000005
【図５】
0005483315.tif 000006